(57)【要約】【課題】室内空間を適した温度及び湿度に素早く調整することができる空気調和システムを提供する。【解決手段】空気調和システム１は、顕熱及び潜熱の交換を行う全熱交換器２と、顕熱の交換を行う顕熱交換器３と、空気の湿度及び温度を調整する調湿装置４と、室外の空気を顕熱交換器３を介して室内空間Ｓに導く外気流路５と、室内空間Ｓの空気を調湿装置４に導く環気流路６と、調湿装置４を通過した空気を顕熱交換器３を介して室内空間Ｓに導く給気流路７と、室内空間Ｓの空気を全熱交換器２を介して室外に導く排気流路８とを備える。【選択図】図１
2018066542.tif 000002
【特許請求の範囲】
【請求項１】
室内空間の空調を行う空気調和システムであって、
顕熱の交換を行う顕熱交換器と、
空気の湿度及び温度を調整する調湿装置と、
室外の空気を前記顕熱交換器を介して室内空間に導く外気流路と、
室内空間の空気を前記調湿装置に導く環気流路と、
前記調湿装置を通過した空気を前記顕熱交換器を介して室内空間に導く給気流路と、を備える空気調和システム。
【請求項２】
前記外気流路の前記顕熱交換器よりも上流側に配置され、顕熱及び潜熱の交換を行う全熱交換器と、
室内空間の空気を前記全熱交換器を介して室外に導く排気流路と、をさらに備える請求項１に記載の空気調和システム。
【請求項３】
室内空間の天井、壁及び床のいずれかに設置された放射パネルをさらに備える請求項１又は２に記載の空気調和システム。
【請求項４】
請求項１〜３のいずれかに記載の空気調和システムであって、
複数の室内空間ごとに前記顕熱交換器、前記環気流路及び前記給気流路を備え、
前記外気流路は、複数の第１支流路に分岐しており、室外の空気をそれぞれの前記第１支流路により各前記顕熱交換器を介して各室内空間に導く空気調和システム。
【請求項５】
各前記環気流路又は各前記給気流路に、風量調整ダンパーが設けられている請求項４に記載の空気調和システム。
【請求項６】
前記排気流路は、複数の第２支流路が合流しており、それぞれの前記第２支流路により各室内空間の空気が前記全熱交換器に導かれる請求項２を引用する請求項４又は５に記載の空気調和システム。
【発明の詳細な説明】
【技術分野】
【０００１】
本発明は、空気調和システムに関する。
【背景技術】
【０００２】
従来、室内空間の温度や湿度を適正に保つ方法として種々の設備が提案されており、例えば、図４に示す空気調和システムが知られている（特許文献１を参照）。
【０００３】
図４に示す空気調和システム１００は、全熱交換器１０１、顕熱交換器１０２及び調湿装置１０３を備えている。また、この空気調和システム１００は、全熱交換器１０１、顕熱交換器１０２、調湿装置１０３、顕熱交換器１０２、室内空間Ｓ、全熱交換器１０２の順に室外空気を流送する流路１０４を備えている。全熱交換器１０１では、室外から導かれた室外空気と室内空間Ｓから導かれた室内空気との間で顕熱及び潜熱の交換が行われ、顕熱交換器１０２では、全熱交換器１０１を通過した室外空気と調湿装置１０３を通過して湿度が調整された空気との間で顕熱の交換が行われる。また、調湿装置１０３では、顕熱交換器１０２から導かれた室外空気に対して、除湿又は加湿が行われる。空気の除湿を行う場合には、調湿装置１０３が備える冷媒コイル１０５内に低温冷媒を流すことによって、この冷媒コイル１０５の外表面を通過する空気を過冷却し、空気中に含まれる湿気を凝縮させることにより除湿が行われる。また、空気の加湿を行うには、調湿装置１０３が備える加湿器１０６の作用により空気中に水蒸気を付与することにより加湿が行われる。
【０００４】
空気調和システム１００は、上記構成により、例えば、夏季における除湿運転時では、顕熱交換器１０２が、全熱交換器１０１を通過した室外空気と、調湿装置１０３を通過した低温低湿の空気との間で顕熱交換を行うため、室内空間Ｓに供給される空気を湿気の少ない状態に維持したまま再熱して適度な温度とすることができる。一方で、冬季における加湿運転時では、顕熱交換器１０２が、全熱交換器１０１を通過した室外空気と、調湿装置１０３を通過した高温多湿の空気との間で顕熱交換を行うため、室内空間Ｓに供給される空気を湿気の多い状態に維持したまま冷却して適度な温度とすることができる。
【先行技術文献】
【特許文献】
【０００５】
【特許文献１】特開２００８−１６４２５２号公報
【発明の概要】
【発明が解決しようとする課題】
【０００６】
例えば夏季において、上記構成の空気調和システム１００を稼働させると、調温、調湿された室外空気の導入により室内空間Ｓが換気されるとともに適した温度・湿度に調整されるが、上記構成の空気調和システム１００は、空調の立ち上がりが遅いため、空調が長時間停止して室温がかなり高くなった状態の室内空間Ｓでは、室内空間Ｓを適した温度に調整するのに時間を要するという課題がある。
【０００７】
本発明は、上記した課題に着目してなされたものであり、室内空間を適した温度及び湿度に素早く調整することができる空気調和システムを提供することを目的とする。
【課題を解決するための手段】
【０００８】
本発明の上記目的は、室内空間の空調を行う空気調和システムであって、顕熱の交換を行う顕熱交換器と、空気の湿度及び温度を調整する調湿装置と、室外の空気を前記顕熱交換器を介して室内空間に導く外気流路と、室内空間の空気を前記調湿装置に導く環気流路と、前記調湿装置を通過した空気を前記顕熱交換器を介して室内空間に導く給気流路と、を備える空気調和システムにより達成される。
【０００９】
本発明に係る空気調和システムは、前記外気流路の前記顕熱交換器よりも上流側に配置され、顕熱及び潜熱の交換を行う全熱交換器と、室内空間の空気を前記全熱交換器を介して室外に導く排気流路と、をさらに備えることが好ましい。
【００１０】
また、本発明に係る空気調和システムは、室内空間の天井、壁及び床のいずれかに設置された放射パネルをさらに備えることが好ましい。
【００１１】
また、本発明に係る空気調和システムは、複数の室内空間ごとに前記顕熱交換器、前記環気流路及び前記給気流路を備え、前記外気流路は、複数の第１支流路に分岐しており、室外の空気をそれぞれの前記第１支流路により各前記顕熱交換器を介して各室内空間に導くことが好ましい。
【００１２】
また、本発明に係る空気調和システムは、各前記環気流路又は各前記給気流路に、風量調整ダンパーが設けられていることが好ましい。
【００１３】
また、本発明に係る空気調和システムは、前記排気流路は、複数の第２支流路が合流しており、それぞれの前記第２支流路により各室内空間の空気が前記全熱交換器に導かれることが好ましい。
【発明の効果】
【００１４】
本発明の空気調和システムによると、室内空間を適した温度及び湿度に素早く調整することができる
【図面の簡単な説明】
【００１５】
【図１】本発明の一実施形態に係る空気調和システムの概略構成図である。
【図２】本発明の他の実施形態に係る空気調和システムの概略構成図である。
【図３】本発明の他の実施形態に係る空気調和システムの概略構成図である。
【図４】従来例の空気調和システムの概略構成図である。
【発明を実施するための形態】
【００１６】
以下、本発明の実施形態について、添付図面を参照しながら説明する。図１は、本発明の一実施形態に係る空気調和システム１の概略構成を示している。
【００１７】
本実施形態に係る空気調和システム１は、各種建物内における室内空間Ｓの調湿や調温を行うシステムであって、顕熱及び潜熱を交換可能な全熱交換器２と、顕熱のみを交換可能な顕熱交換器３と、空気の湿度及び温度を調整する調湿装置４とを備えている。
【００１８】
また、空気調和システム１は、室内空間Ｓを調湿、調温するとともに室内空間Ｓを換気するサイクルを構築するために、外気流路５と、環気流路６と、給気流路７と、排気流路８とをさらに備えている。なお、図１中において、ＯＡは室外から室内空間Ｓに引き込まれる空気を指し、ＲＡは室内空間Ｓから調湿装置４に引き込まれる空気を指し、ＳＡは調湿装置４から室内空間Ｓに送り込まれる空気を指し、ＥＡは室内空間Ｓから室外へ送り出される空気を指す。また、図１中において、符号９及び１０は室内空間Ｓに設けられた温度センサ及び湿度センサであり、符号１１Ａ〜１１Ｃはそれぞれ外気流路５、排気流路８及び給気流路７に接続されたファン（送風機）である。なお、ファン１１Ｃは環気流路６に接続されていてもよい。
【００１９】
外気流路５は、室外空気を全熱交換器２及び顕熱交換器３を介して室内空間Ｓに導入するラインであり、全熱交換器２に室外空気を導いた後、顕熱交換器３に全熱交換後の室外空気を導き、顕熱交換後の室外空気を室内空間Ｓに導く。環気流路６は、室内空間Ｓの空気を調湿装置４に供給するラインである。給気流路７は、調湿装置４で温度や湿度が調整された空気（調和空気）を顕熱交換器３を介して室内空間Ｓに供給するラインである。排気流路８は、室内空間Ｓの空気を全熱交換器２を介して室外に排出するラインである。本実施形態の空気調和システム１では、外気流路５の室内空間Ｓにおける吐出口が環気流路６の室内空間Ｓにおける吸入口の近傍に配置されている。なお、「近傍」とは、互いの間隔が１５０ｍｍ〜３００ｍｍ程度を指す。なお、必ずしも外気流路５の室内空間Ｓにおける吐出口と環気流路６の室内空間Ｓにおける吸入口とは近傍に配置されていなくてもよい。
【００２０】
全熱交換器２は、外気流路５により導かれた室外空気と、排気流路８により導かれた室内空間Ｓの空気との間で、顕熱及び潜熱の熱交換を行う装置である。
【００２１】
顕熱交換器３は、全熱交換器２を通過し外気流路５により導かれた室外空気と、調湿装置４を通過し給気流路７により導かれた調和空気との間で顕熱の熱交換を行う装置である。
【００２２】
調湿装置４は、室内空間Ｓの空気の温度や湿度を調整する装置であり、冷媒コイル４０及び加湿器４１を備えている。冷媒コイル４０は、表面を通過する空気と内部を流れる冷媒との間で熱交換を行って空気を加熱又は冷却する装置である。加湿器４１は、水道水などの水を気化させて空気中の湿度を高める装置であり、例えば気化式加湿器を用いることができる。この加湿器４１は、必要に応じて作動されるものであり、例えば、夏季などにおいて空気の加湿が不要な場合には、加湿器４１を作動させることなく、冷媒コイル４０を通過した空気は加湿器４１を通過して顕熱交換器３に導かれる。
【００２３】
次に、本実施形態の空気調和システム１における夏季の除湿運転及び冬季の加湿運転について説明する。
【００２４】
最初に、夏季における除湿運転について説明する。まず、室外空気は、外気流路５により全熱交換器２に導かれる。この室外空気は、排気流路８を介して全熱交換器２に導かれる室内空間Ｓの空気との間で全熱交換を行う。夏季の室外空気は高温多湿であり、室内空間Ｓの空気は室外空気よりも温度及び湿度が低いため、室外空気は、全熱交換器２における熱交換により温度及び湿度が低下した状態となる。
【００２５】
次に、温度及び湿度が低下した室外空気は、外気流路５により顕熱交換器３に導かれ、調湿装置４を通過した調和空気との間で顕熱交換を行う。調湿装置４を通過した調和空気は、後述のように低温かつ低湿度であるため、全熱交換器２から導かれた室外空気は、顕熱交換器３における熱交換により冷却され、絶対湿度を維持したまま温度のみが更に低下した状態となって、室内空間Ｓに導かれる。
【００２６】
次に、室内空間Ｓの空気は、環気流路６により調湿装置４に導かれる。調湿装置４において、除湿運転を行う場合には、冷媒コイル４０に低温冷媒（冷水も含む）を供給して、冷媒コイル４０を冷却コイルとして機能させる。これにより、室内空間Ｓから送り込まれた空気が冷媒コイル４０の表面にて過冷却される結果、空気中に含まれる水分（湿気）が凝縮して凝縮水となるため、冷媒コイル４０を通過した空気は、低温かつ絶対湿度が低い空気となる。除去された水分（湿気）は、図示しないドレンから外部に排出される。なお、除湿運転時においては、加湿器４１を作動させずに、冷媒コイル４０を通過した空気がそのまま顕熱交換器３に供給される。
【００２７】
調湿装置４で調整された低温低湿の空気は、給気流路７により顕熱交換器３に導かれ、上述した顕熱交換機３における熱交換により加熱され、低湿度を維持したまま温度のみが適度に上昇した状態となって、室内空間Ｓに供給される。これにより、室内空間Ｓの空気の湿度を下げることができるとともに温度を下げることができる。
【００２８】
室内空間Ｓの空気は、室内空間Ｓに居住する人間が発する熱や水蒸気、配置されるパソコン、オーディオ設備などが発する熱の影響を長時間受けると、温度及び湿度がともに上昇する。室内空間Ｓの空気は、排気流路８により室外に排出されるが、排出前に全熱交換器２に導かれて外気流路５により導かれた室外の空気との間で全熱交換を行うことにより、温度及び湿度が高められた状態で室外に排出される。
【００２９】
上述した除湿運転時においては、調湿装置４の冷媒コイル４０に供給する低温冷媒の温度・流量などを制御することにより、調湿装置４を通過し顕熱交換器３に導かれる空気の温度や湿度を変化させることができる。そのため、室内空間Ｓに供給される空気の温度や湿度の制御を容易に行うことができ、室内空間Ｓを適当な温度や湿度に設定することができる。また、室外の空気が外気流路５により室内空間Ｓに取り入れられるとともに室内空間Ｓの空気が排気流路８により室外に排出されるので、室内空間Ｓの換気を行うことができる。
【００３０】
次に、冬季における加湿運転について説明する。まず、室外の空気は、外気流路５により全熱交換器２に導かれる。この室外の空気は、排気流路８を介して全熱交換器２に導かれる室内空間Ｓの空気との間で全熱交換を行う。冬季の室外の空気は低温低湿であり、排気流路８により導かれる室内空間Ｓは室外の空気よりも温度及び湿度が高いため、外気流路５により導かれた室外の空気は、温度及び湿度が高められた状態となる。
【００３１】
次に、温度及び湿度が高められた室外の空気は、外気流路５により顕熱交換器３に導かれ、調湿装置４を通過した調和空気との間で顕熱交換を行う。調湿装置４を通過した調和空気は、後述のように高温かつ高湿度であるため、全熱交換器２から導かれた室外の空気は、顕熱交換器３における熱交換により加熱され、絶対湿度を維持したまま温度のみが更に高められた状態で室内空間Ｓに導かれる。
【００３２】
次に、室内空間Ｓの空気は、環気流路６により調湿装置４に導かれる。調湿装置４において、加湿運転を行う場合には、冷媒コイル４０に高温冷媒（温水も含む）を供給して、冷媒コイル４０を加熱コイルとして機能させるとともに、加湿器４１により空気中に水蒸気を付加する。これにより、室内空間Ｓから送り込まれた空気が冷媒コイル４０の表面にて加熱された後、加湿器４１により水蒸気の供給を受ける結果、高温かつ絶対湿度が高い空気となる。
【００３３】
調湿装置４で調整された高温多湿の空気は、給気流路７により顕熱交換器３に導かれ、上述した顕熱交換機３における熱交換により冷却され、高湿度を維持したまま温度のみが適度に低下した状態で室内空間Ｓに供給される。これにより、室内空間Ｓの空気の湿度を上げることができるとともに温度を上げることができる。
【００３４】
室内空間Ｓの空気は、室内空間Ｓに居住する人間が発する熱や水蒸気、配置されるパソコン、オーディオ設備などが発する熱の影響を長時間受けると、温度及び湿度がともに上昇する。室内空間Ｓの空気は、排気流路８により室外に排出されるが、排出前に全熱交換器２に導かれて外気流路５により導かれた室外の空気との間で全熱交換を行うことにより、温度及び湿度が低下した状態で室外に排出される。
【００３５】
上述した加湿運転時においても、調湿装置４の冷媒コイル４０に供給する高温冷媒の温度・流量などを制御することにより、調湿装置４を通過し顕熱交換器３に導かれる空気の温度や湿度を変化させることができる。そのため、室内空間Ｓに供給される空気の温度や湿度の制御を容易に行うことができ、室内空間Ｓを適当な温度や湿度に設定することができる。また、室外の空気が外気流路５により室内空間Ｓに取り入れられるとともに室内空間Ｓの空気が排気流路８により室外に排出されるので、室内空間Ｓの換気を行うことができる。
【００３６】
また、上述した本実施形態の空気調和システム１によれば、室外の空気は外気流路５により全熱交換器２及び顕熱交換器３を通過した後、一旦、室内空間Ｓに導かれ、室内空間Ｓの空気が環気流路６により調湿装置４に導かれて、調温・調湿後の調和空気が給気流路７により室内空間Ｓに供給されるように構成されている。そのため、例えば夏季において、空調が長時間停止していて温度がかなり高くなった状態の室内空間Ｓについても、素早く冷却することができる。この点について以下に説明する。
【００３７】
従来から知られている図４に示すような空気調和システム１００では、例えば夏季においては、調湿装置１０３で低温低湿の空気が生成されるので、室内空間Ｓに供給される空気は湿度が低い状態であるが、温度は顕熱交換器１０２での熱交換により高い状態（例えば２５℃〜２８℃程度）となっている。また、従来の図４に示す空気調和システム１００では、換気と調温、調湿とが必ず連動しており、調温、調湿された外気が室内空間Ｓに供給されることで、室内空間Ｓの温度が調整されている。そのため、空調の立ち上がりが遅く、室内空間Ｓを冷却するのに時間を要する。このような事態を回避し、室内空間Ｓの温度を快適な状態に素早く冷却するためには、調湿装置１０３で生成される空気の温度をさらに低下させる必要があるが、冷媒コイル１０５の作動負荷が増大してエネルギー効率が悪いものになる。
【００３８】
これに対して、本実施形態の空気調和システム１では、換気と調温、調湿とが独立していることから、室内空間Ｓの調温、調湿のみを行うことができる。つまり、本実施形態の空気調和システム１では、ファン１１Ａ,１１Ｂを停止させ、ファン１１Ｃのみを作動させることで、外気流路５による全熱交換器２及び顕熱交換器３への室外の空気の取り込み及び排気流路８による室外への室内空間Ｓの空気の排出を止めて、環気流路６による室内空間Ｓの空気の調湿装置４への供給及び給気流路７による調和空気の室内空間Ｓへの供給のみを行うことができる。これにより、室内空間Ｓの高温の空気を直接、調湿装置４で調整して、低温低湿とした空気をそのまま室内空間Ｓに供給することができる。その結果、空調の立ち上がりが早くなるため、室内空間Ｓの温度がかなり高くなった状態であっても、調湿装置４（冷媒コイル４０）の作動負荷を増大させることなく、素早く室内空間Ｓを冷却することができる。この結果、高い省エネルギー効果を得ることができ、システム全体のランニングコストを低減させることができる。
【００３９】
その後、室内空間Ｓの温度がある程度（所定の温度まで）低下すると、ファン１１Ａ,１１Ｂを稼働させ、全熱交換器２及び顕熱交換器３への室外の空気の取り込みを開始することで、室内空間Ｓを快適な温度・湿度状態に維持できるとともに、室内空間Ｓの換気を行うことができる。
【００４０】
同様に、冬季における温度がかなり低くなった状態の室内空間Ｓについても、ファン１１Ａ〜１１Ｃを制御することにより、素早く室内空間Ｓを加熱することができる。
【００４１】
また、本実施形態の空気調和システム１では、従来の図４に示す空気調和システム１００と比較して、換気と調温、調湿とが独立していることから、ファン１１Ａ,１１Ｂを作動させ、ファン１１Ｃ及び調湿装置４を停止させることで、室内空間Ｓの換気のみを行うこともできる。
【００４２】
このように、本実施形態の空気調和システム１では、換気と調温、調湿とを同時に行うこともできるうえ、別々に実施することもできる。
【００４３】
さらに、本実施形態の空気調和システム１では、外気流路５の室内空間Ｓにおける吐出口と環気流路６の室内空間Ｓにおける吸入口とは近傍に配置されていることから、例えば夏季において外気流路５で湿度の高い外気を室内空間Ｓに取り込んでも、環気流路６で湿度の高い外気を速やかに取り込んで調湿装置４にて調温、調湿することができる。
【００４４】
なお、上述した加湿装置４の冷媒コイル４０に供給する冷媒の温度・流量などの制御、加湿器４１の作動制御、さらにはファン１１Ａ〜１１Ｃの作動制御などは、図示しない制御装置により行われる。制御装置は、室内空間Ｓの温度や湿度を温度センサ９及び湿度センサ１０により監視し、室内空間Ｓに設けられたコントローラ（図示せず）からの指示により各機器を制御することで、室内空間Ｓを所望の環境とすることができる。
【００４５】
以上、本発明の一実施形態について詳述したが、本発明の具体的な態様は上記実施形態に限定されない。例えば、上記実施形態においては、空調対象の室内空間Ｓが１つであるが、図２に示すように、複数（図示例では３つ）の室内空間Ｓ１，Ｓ２，Ｓ３を空調対象とすることもできる。
【００４６】
図２の実施形態の空気調和システム１では、複数の室内空間Ｓ１，Ｓ２，Ｓ３毎に顕熱交換器３、環気流路６及び給気流路７を備えている。また、外気流路５は、分配器１２Ａを介して複数の第１支流路５０に分岐しており、室外空気をそれぞれの第１支流路５０により各顕熱交換器３を介して各室内空間Ｓ１，Ｓ２，Ｓ３に導く。また、排気流路８は、分配器１２Ｂを介して複数の第２支流路８０が合流しており、それぞれの第２支流路８０により各室内空間Ｓ１，Ｓ２，Ｓ３の空気が取り出され、合流後に全熱交換器２に導かれ、室外に排出される。各第１支流路５０及び各第２支流路８０には、それぞれ電動ダンパー１５，１６などが設けられている。各電動ダンパー１５，１６の開閉制御は、図示しない制御装置により行われる。
【００４７】
各給気流路７には、調湿装置４により調湿、調温された調和空気の送風量を制御する風量調整ダンパー１２がそれぞれ設けられている。風量調整ダンパー１２は例えばバタフライ弁方式であり、モータなどのアクチュエータ（図示せず）で開度が制御される。なお、各風量調整ダンパー１２の開度の制御は、図示しない制御装置により行われる。
【００４８】
図２の実施形態の空気調和システムによれば、上記実施形態と同様に、各室内空間Ｓ１，Ｓ２，Ｓ３に対して調湿、調温及び換気を行うことができるとともに、室内空間Ｓ１，Ｓ２，Ｓ３の温度がかなり高い又は低い状態の場合には、室内空間Ｓ１，Ｓ２，Ｓ３の調温、調湿のみを行うことで、素早く室内空間Ｓ１，Ｓ２，Ｓ３を冷却又は加熱することができる。そのうえ、各室内空間Ｓ１，Ｓ２，Ｓ３の湿度を空間毎に個別に所望の湿度に調整することができるとともに、各室内空間Ｓ１，Ｓ２，Ｓ３を空間毎に個別に換気することができる。
【００４９】
具体的には、各室内空間Ｓ１，Ｓ２，Ｓ３の湿度は、調湿装置４の冷媒コイル４０の温度を制御することにより調整されるが、各給気流路７に設けられた風量調整ダンパー１２の開度を制御し、各室内空間Ｓ１，Ｓ２，Ｓ３に供給する調和空気の風量を調整することによっても、各室内空間Ｓ１，Ｓ２，Ｓ３の湿度を調整することができる。よって、制御装置が、各室内空間Ｓ１，Ｓ２，Ｓ３に設けられたコントローラ（図示せず）からの指示により、各室内空間Ｓ１，Ｓ２，Ｓ３の湿度及び／又は温度に基づいて各機器を制御することで、各室内空間Ｓ１，Ｓ２，Ｓ３の湿度を所望の湿度とすることができる。
【００５０】
一方で、換気を行いたい室内空間（例えばＳ１，Ｓ３）に接続されている各支流路５０，８０の電動ダンパー１５，１６を開き、その他の室内空間（例えばＳ２）に接続されている各支流路５０，８０の電動ダンパー１５，１６を閉じることで、ファン１１Ａ，１１Ｂの稼働により室内空間Ｓ１，Ｓ３について換気を行うことができる。このとき、室内空間Ｓ１，Ｓ３に接続されている給気流路７の風量調整ダンパー１２の開度を制御することで、室内空間Ｓ１，Ｓ３を調湿、調温してもよいし、調湿、調温しなくてもよい。また、換気を行わない室内空間Ｓ２については、給気流路７の風量調整ダンパー１２を開くことで、素早く調湿、調温することができる。
【００５１】
また、上述した図１及び図２のいずれの実施形態の空気調和システム１においても、図３に示すように、放射パネル１４を併用して室内空間Ｓの空調を行うように構成してもよい（なお、図３は図１に放射パネル１４を設けている）。放射パネル１４は、室内空間Ｓの天井、壁及び床のいずれかに設置することができるが、図３では天井に設置されている。放射パネル１４は、冷媒としての冷水又は温水が流通する流通管とパネル本体とを備えており、流通管に冷水又は温水を流してパネル本体の温度を上昇又は下降させることで、パネル本体からの熱放射により冷暖房を行うものである。放射パネル１４としては従来から公知のものを用いることができる。
【００５２】
放射パネル１４を空気調和システム１と併用することにより、１（又は複数）の室内空間Ｓ（又はＳ１〜Ｓ３）について、調湿を空気調和システム１で行うとともに調温を放射パネル１４により行うことができる。そのため、室内空間Ｓ（又はＳ１〜Ｓ３）を所望の温度及び湿度に省エネルギーで個別設定することができるうえ、室内空間Ｓ（又はＳ１〜Ｓ３）に居住する人間が発する熱や配置されるパソコン、オーディオ設備などが発する熱を放射パネル１４が効率よく直接吸収するので、室内空間Ｓ（又はＳ１〜Ｓ３）毎に快適な環境を簡易に作り出すことができる。
【００５３】
また、上述したいずれの実施形態の空気調和システム１においても、全熱交換器２を備えており、外気流路５により導かれた室外空気と、排気流路８により導かれた室内空間Ｓ，Ｓ１〜Ｓ３の空気との間で顕熱及び潜熱の交換が行われることで、室内空間Ｓ，Ｓ１〜Ｓ３から室外に排出される空気の持つ熱エネルギーを有効的に利用して、室外空気が有する温度や湿度を所望の状態に調整して顕熱交換器３に導き、これにより、顕熱交換器３の作動負荷を低減させている。ただし、この全熱交換器２を省いた構成を採用することも可能である。
【符号の説明】
【００５４】
１    空気調和システム
２    全熱交換器
３    顕熱交換器
４    調湿装置
５    外気流路
６    環気流路
７    給気流路
８    排気流路
１２  風量調整ダンパー
１４  放射パネル
５０  第１支流路
８０  第２支流路
Ｓ，Ｓ１〜Ｓ３  室内空間
【図１】
2018066542.tif 000003
【図２】
2018066542.tif 000004
【図３】
2018066542.tif 000005
【図４】
2018066542.tif 000006